(57)【要約】【課題】データ線の両側にドライバを配置する従来手法の場合、立ち上がり立ち下がり特性を改善できる一方でコストや消費電力が増加する。【解決手段】アクティブマトリクス駆動型の自発光表示デバイスを駆動する表示デバイス駆動回路に、本来書き込むべき信号電圧の書き込みタイミングよりも１又は水平走査期間前から本来の書き込み期間の満了時点まで、信号電圧の書き込み信号をオン状態に制御する機能を搭載する。隣接する走査線間の画像相関は一般に高い。従って、本来の書き込みタイミングでの電圧変化をわずかに留めることができる。【選択図】図７
2008152180.tif 000002
【特許請求の範囲】
【請求項１】
アクティブマトリクス駆動型の自発光表示デバイスを駆動する表示デバイス駆動回路において、
本来書き込むべき信号電圧の書き込みタイミングよりも１水平走査期間前から本来の書き込み期間の満了時点まで、信号電圧の書き込み信号をオン状態に制御する
ことを特徴とする表示デバイス駆動回路。
【請求項２】
アクティブマトリクス駆動型の自発光表示デバイスを駆動する表示デバイス駆動回路において、
本来書き込むべき信号電圧の書き込みタイミングよりも数水平走査期間前から本来の書き込み期間の満了時点まで、信号電圧の書き込み信号をオン状態に制御する
ことを特徴とする表示デバイス駆動回路。
【請求項３】
アクティブマトリクス駆動型の画素構造を有する自発光表示領域と、
本来書き込むべき信号電圧の書き込みタイミングよりも１水平走査期間前からから本来の書き込み期間の満了時点まで、信号電圧の書き込み信号をオン状態に制御するデータ線駆動回路と
を有することを特徴とするアクティブマトリクス駆動型の自発光表示デバイス。
【請求項４】
アクティブマトリクス駆動型の画素構造を有する自発光表示領域と、
本来書き込むべき信号電圧の書き込みタイミングよりも数水平走査期間前からから本来の書き込み期間の満了時点まで、信号電圧の書き込み信号をオン状態に制御するデータ線駆動回路と
を有することを特徴とするアクティブマトリクス駆動型の自発光表示デバイス。
【請求項５】
請求項３又は４に記載の自発光表示デバイスにおいて、
各画素がエレクトロルミネセンス素子で構成される
ことを特徴とする自発光表示デバイス。
【請求項６】
アクティブマトリクス駆動型の画素構造を有する自発光表示領域と、
本来書き込むべき信号電圧の書き込みタイミングよりも１水平走査期間前からから本来の書き込み期間の満了時点まで、信号電圧の書き込み信号をオン状態に制御するデータ線駆動回路と、
システム制御部と
を有することを特徴とする電子機器。
【請求項７】
アクティブマトリクス駆動型の画素構造を有する自発光表示領域と、
本来書き込むべき信号電圧の書き込みタイミングよりも数水平走査期間前から本来の書き込み期間の満了時点まで、信号電圧の書き込み信号をオン状態に制御するデータ線駆動回路と、
システム制御部と
を有することを特徴とする電子機器。
【請求項８】
アクティブマトリクス駆動型の自発光表示デバイスを駆動する表示デバイス駆動方法において、
本来書き込むべき信号電圧の書き込みタイミングよりも１水平走査期間前から本来の書き込み期間の満了時点まで、信号電圧の書き込み信号をオン状態に制御する
ことを特徴とする表示デバイス駆動方法。
【請求項９】
アクティブマトリクス駆動型の自発光表示デバイスを駆動する表示デバイス駆動方法において、
本来書き込むべき信号電圧の書き込みタイミングよりも数水平走査期間前から本来の書き込み期間の満了時点まで、信号電圧の書き込み信号をオン状態に制御する
ことを特徴とする表示デバイス駆動方法。
【請求項１０】
アクティブマトリクス駆動型の自発光表示デバイスの駆動タイミングを制御するコンピュータに、
本来書き込むべき信号電圧の書き込みタイミングよりも１水平走査期間前から本来の書き込み期間の満了時点まで、信号電圧の書き込み信号をオン状態に制御する処理
を実行させることを特徴とするコンピュータプログラム。
【請求項１１】
アクティブマトリクス駆動型の自発光表示デバイスの駆動タイミングを制御するコンピュータに、
本来書き込むべき信号電圧の書き込みタイミングよりも数水平走査期間前から本来の書き込み期間の満了時点まで、信号電圧の書き込み信号をオン状態に制御する処理
を実行させることを特徴とするコンピュータプログラム。
【発明の詳細な説明】
【技術分野】
【０００１】
この明細書で説明する発明は、アクティブマトリクス駆動型の自発光表示デバイスの駆動技術に関する。なお、ここでの発明は、表示デバイス駆動回路、自発光表示デバイス、電子機器、表示デバイス駆動方法及びコンピュータプログラムとしての側面を有する。
【背景技術】
【０００２】
フラットパネル型の表示デバイスの大画面化と高精細化はますます進む方向にある。これに伴い、パネル表示素子の駆動周波数に対する信号遅延や駆動信号の立ち上がり立ち下り特性（周波数特性）の劣化が問題となっている。
【０００３】
図１に、アクティブマトリクス駆動型表示デバイスの駆動信号例を示す。なお、図１は、データ線を片側から駆動する場合の駆動信号例を示す。図１に示すように、各画素に対する信号電圧Ｖin（図１（Ａ））の書き込みは、水平同期信号ＨＳ（図１（Ｅ））に同期する書き込み信号ＷＳ（図１（Ｂ）〜図１（Ｄ））の立ち上がりに伴って順番に実行される。
【０００４】
ところで、この駆動方法は、書き込み周波数の上昇に伴い、信号電圧Ｖinの波形の鈍りが大きくなる（図１（Ａ）に破線で囲んで示す）。このため、表示素子内のキャパシタに信号電圧Ｖinを正確に書き込むのが困難になっている。
【０００５】
そこで、駆動周波数に対する立ち上がり立ち下がり特性の改善を目的として、駆動ラインを両側から駆動する方法が提案されている。
図２に、表示デバイス１の画面構成例を示す。図２に示すように、表示パネル３の上下両側に２つのデータ線ドライバ５が配置されている。
【０００６】
なお、信号電圧Ｖinの書き込み対象である画素１１の選択は、書き込み信号ＷＳを出力する走査線ドライバ７が実行する。
【特許文献１】特開２００５−３４５９１０号公報
【発明の開示】
【発明が解決しようとする課題】
【０００７】
しかし、２つのデータ線ドライバ５によりデータ線を両側から駆動する方法は、立ち上がり立ち下がり特性を改善できるプラス面がある一方で、製造コストや消費電力が増加するマイナス面がある。しかも、駆動周波数が上がるほど消費電力が上昇し易いマイナス面もある。従って、各種特性の改善とコスト面その他とのバランスに優れた技術の提案が求められる。
【課題を解決するための手段】
【０００８】
そこで、発明者は、アクティブマトリクス駆動型の自発光表示デバイスを駆動する表示デバイス駆動回路として、本来書き込むべき信号電圧の書き込みタイミングよりも１又は数水平走査期間前から本来の書き込み期間の満了時点まで、信号電圧の書き込み信号をオン状態に制御する機能を有するものを提案する。
【発明の効果】
【０００９】
この発明では、本来の書き込みタイミングより１又は数水平走査期間前から信号電圧の書き込みを開始する。結果的に、本来の書き込みタイミングには、前水平ラインに書き込んだ信号電圧との差分だけを書き込むことになる。
【００１０】
これは、垂直方向に隣接する画像間には高い相関が認められるためである。結果的に、本来の書き込みタイミングでは、わずかな電圧変化のみで書き込み動作を完了することができる。このことは、駆動周波数に対する信号電圧の立ち上がり特性を改善できることを意味する。
【００１１】
また、データ線ドライバの数を増やしたり、オーバードライブの必要がないため、既存の駆動方法と駆動周波数が同じであれば、発明の方が消費電力を下げられることができる。なお、発明の方法では、駆動周波数を上げたとしても消費電力の増加を抑制することができる。
【発明を実施するための最良の形態】
【００１２】
以下、アクティブマトリクス駆動型の有機ＥＬディスプレイ装置に好適な駆動制御例を説明する。
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）形態例１
（Ａ−１）有機ＥＬディスプレイ装置の全体構成
図３に、有機ＥＬディスプレイ装置２１の主要構成部分を示す。有機ＥＬディスプレイ装置２１は、有機ＥＬパネル２３、データ線ドライバ２５、走査線ドライバ２７及びタイミングジェネレータ２９を主要な構成要素とする。
【００１４】
（Ａ−２）各部の構成
有機ＥＬパネル２３は、画素３１がパネル解像度に応じてマトリクス状に配置された自発光型の表示パネルである。この形態例の場合、有機ＥＬパネル２３はカラー表示用であり、画素３１は発光色別に配置される。ただし、画素３１が複数色の発光層を積層した構造の有機ＥＬ素子の場合、１つの画素３１が複数の発光色に対応する。
【００１５】
図４に、データ線ＤＬと走査線ＷＬとの交点位置に形成される画素３１と駆動回路との接続関係を示す。
画素３１は、スイッチ素子Ｔ１、キャパシタＣ、電流ドライブ素子Ｔ２及び有機ＥＬ素子Ｄで構成される。
【００１６】
スイッチ素子Ｔ１は、データ線ＤＬに印加された信号電圧のキャパシタＣへの書き込みを制御するトランジスタである。書き込み信号ＷＳは、走査線ドライバ２７から走査線ＷＬを通じて各スイッチ素子Ｔ１に供給される。
【００１７】
キャパシタＣは、書き込まれた信号電圧Ｖinを１フレームの間保持する記憶素子である。キャパシタＣを用いることで、信号電圧Ｖinの書き込みが線順次に実行される場合でも、面順次走査方式で書き込まれる場合と同様の発光態様が実現される。
【００１８】
電流ドライブ素子Ｔ２は、キャパシタＣに保持されている信号電圧Ｖinに応じた駆動電流を有機ＥＬ素子Ｄに供給するトランジスタである。ここでの駆動電流値は、電流ドライブ素子Ｔ２のゲートソース間に印加される電圧Ｖgsにより定まる。
【００１９】
データ線ドライバ２５は、有機ＥＬパネル２３のデータ線ＤＬを駆動する回路デバイスである。データ線ドライバ２５は、周知の回路構成を使用する。
走査線ドライバ２７は、信号電圧Ｖinの書き込みタイミングを与える回路デバイスである。
【００２０】
この形態例における走査線ドライバ２７は、水平同期信号ＨＳが入力されるたび隣接する２ライン分の走査線を書き込み可能な状態に制御する。この書き込み制御に用いられる信号が書き込み信号ＷＳである。
【００２１】
図５に、走査線ドライバ２７の内部構成例を示し、図６に内部信号例を示す。
走査線ドライバ２７は、シフトレジスタ２７１、ラッチ２７３、バッファ回路２７５及び論理和回路２７７で構成される。シフトレジスタ２７１以外は、基本的に水平走査線（水平ライン）に１つ配置される。
【００２２】
シフトレジスタ２７１は、垂直解像度数分の段数を有するレジスタ段で構成される。
先頭位置のレジスタ段には、各フレームの先頭時に書き込み信号ＷＳが入力される。書き込み信号ＷＳの信号幅Ｔ０は水平走査期間と同じである。
【００２３】
書き込み信号ＷＳは、水平同期信号ＨＳ（図６（Ｅ））に同期したクロック（図６（Ａ））で順次次段に出力され、各走査線ＤＬに対応した書き込み信号ＷＳとしてラッチ２７３に出力される。ラッチ２７３は、１ライン書き込み信号ｗｓのタイミング調整用である。
【００２４】
バッファ回路２７５は、書き込み信号ｗｓの信号レベルを有機Ｅｌパネル２３の駆動に適した信号レベルにレベルシフトする処理を実行する。図６（Ｂ）に、第ｉ番目の走査線に対応する１ライン書き込み信号ｗｓ(i) を示す。図６（Ｃ）に、第ｉ＋１番目の走査線に対応する１ライン書き込み信号ｗｓ（ｉ＋１）を示す。
【００２５】
論理和回路２７７は、駆動対象である走査線ＤＬの１ライン書き込み信号ｗｓ（ｉ＋１）と１水平ライン前の走査線ＤＬに対応する１ライン書き込み信号ｗｓ(i) との論理和を生成する。図６（Ｄ）に、論理和回路２７７から走査線ＤＬに出力される２ライン書き込み信号ＷＳ（ｉ＋１）を示す。
【００２６】
タイミングジェネレータ２９は、データ信号Ｄinに基づいて各種のタイミング信号を生成する処理デバイスである。クロック信号その他のタイミング信号を走査線ドライバ２７に供給する。
【００２７】
（Ａ−３）駆動動作
図７に、有機ＥＬディスプレイ装置１の駆動信号例を示す。なお、この駆動信号は、図８に示す位置の画素３１(i-1,m) 及び３１(i,m) の駆動に使用される信号である。ここで、画素３１(i-1,m) は、第ｉ−１行目に位置する走査線ＷＬ(i-1) と第ｍ列目に位置するデータ線ＤＬ（ｍ）との交点位置に位置する画素を示す。
【００２８】
また、画素３１(i,m) は、第ｉ行目に位置する走査線ＷＬ(i) と第ｍ列目に位置するデータ線ＤＬ（ｍ）との交点位置に位置する画素を示す。
図７（Ａ）は、データ線ドライバ２５がデータ線ＤＬに印加する信号電圧Ｖinの信号波形例である。信号電圧Ｖinの立ち上がり波形や立ち下がり波形に鈍りが認められるのは、画素内の容量やデータ線ＤＬの配線容量が影響するためである。
【００２９】
この波形の鈍りは、駆動周波数や容量が大きいほど一般に大きくなる。そこで、周波数特性の改善を目的として、この形態例では図７（Ｂ）及び（Ｃ）に示す２ライン書き込み信号ＷＳを使用する。すなわち、本来の書き込みタイミングより１水平走査期間前から信号電圧Ｖinの書き込み動作を開始する。
【００３０】
なお、図７（Ｂ）は、第ｉ−１行目の走査線ＷＬ(i-1) に印加される２ライン書き込み信号ＷＳ(i-1) であり、図７（Ｃ）は、第ｉ行目の走査線ＷＬ(i) に印加される２ライン書き込み信号ＷＳ(i) である。図７（Ｄ）は、水平同期信号ＨＳである。
【００３１】
図９（Ａ）に、画素３１(i,m) を構成するキャパシタＣの書き込み電位（キャパシタ電圧Ｖｃ）の変化を示す。画素３１(i,m) を構成するキャパシタＣの書き込みは、２ライン書き込み信号ＷＳ(i) （図９（Ｂ））により、図中網掛けで示す本来の書き込みタイミングより１水平走査期間前から開始される。結果的に、プリチャージと同じ効果が得られる。
【００３２】
すなわち、プリチャージによりデータ線ドライバ２５は、駆動特性を上げなくても画素３１(i,m) の信号電圧Ｖinを書き込むことが可能となる。動画像では、前後の水平ラインで類似の信号電圧Ｖinが表示されるためである。
【００３３】
特に図１０に示すように黒画面から白画面に画面が切り替わる場合、従来の書き込み方法では、図１１（Ａ）に示すように、信号電圧Ｖinの立ち上がり特性が大きく劣化する。
一方、前述した２ライン駆動方法の場合には、画素内のキャパシタＣに本来の信号電圧Ｖin(i) を書き込む前に１水平ライン上の画素の信号電圧Ｖin(i-1) が既にプリチャージされている。
【００３４】
従って、本来の信号電圧Ｖin(i) の書き込みは、図１１（Ｂ）に示すように短時間で完了する。この動作特性は、画素容量が小さい場合の動作特性と同じである。従って、各画素に対応する信号電圧Ｖin(I,m) （図１２（Ｂ））の立ち上がり特性は、従来例（図１２（Ａ））に比して大幅に改善される。なお、図１２は、信号電圧Ｖinのフレーム間変化を示す。
【００３５】
また、この形態例の駆動方法の場合、消費電力も低下することができる。消費電力ＷはＣ・Ｖ2・ｆ （Ｃ：容量，Ｖ：電圧，ｆ：周波数）で算出されるのであるが、この形態例の場合、周波数特性の改善により画素容量を見かけ上小さく見せることができるためである。
【００３６】
（Ａ−４）形態例の効果
以上説明したように、この形態例で説明する駆動方式の採用により、有機ＥＬパネル２３の解像度や駆動周波数が高くなったとしても、画素容量をほぼ無視した形で信号電圧Ｖinの立ち上がり立ち下がり特性を改善することができる。また、消費電力の増加も極力抑えることができる。
【００３７】
すなわち、駆動周波数がある程度上がってもコストの増加を伴うことなしに、低消費電力化を実現できる。
また、画素容量がデータ線ＤＬの容量及び抵抗に対して無視できなくなった際にも、書き込み電圧を高速化（オーバードライブ）することなく、簡易かつ低コストで駆動周波数の高速化に追従することができる。
【００３８】
（Ｂ）他の実装例
（Ｂ−１）他の画素構造
前述の形態例においては、スイッチ素子Ｔ１がＮチャネルＦＥＴ、電流ドライブ素子Ｔ２がＰチャネルＦＥＴで構成される場合について説明した。
しかし、製造プロセス等に応じて必ずしもこの組み合わせである必要はない。
【００３９】
例えばスイッチ素子Ｔ１と電流ドライブ素子Ｔ２の両方をＮチャネルＦＥＴで構成しも良い。図１３に、この場合に対応する画素の等価回路を示す。この場合、キャパシタＣの一方の電極は電流ドライバ素子Ｔ２のゲート端子に接続され、他方の電極はドレイン端子に接続される。
【００４０】
また例えばスイッチ素子Ｔ１をＰチャネルＦＥＴで構成し、電流ドライブ素子Ｔ２をＮチャネルＦＥＴで構成しても良い。また例えばスイッチ素子Ｔ１と電流ドライブ素子Ｔ２の両方をＰチャネルＦＥＴで構成しも良い。
【００４１】
（Ｂ−２）２ライン書き込み信号の生成方法
前述した形態例においては、走査線ドライバ２７が図５に示す内部構成を有する場合について説明した。すなわち、バッファ回路２７５の出力側に対応する走査線ＤＬの１ライン書き込み信号と１水平ライン前の走査線ＤＬに対応する１ライン書き込み信号との論理和を生成する論理和回路２７７を配置する場合について説明した。
【００４２】
しかし、２ライン書き込み信号ＷＳは、他の回路構成によっても生成することができる。
図１４に、走査線ドライバ２７の他の構成例を示す。なお、図１４には、図５との対応部分に同一符号を付して示す。
【００４３】
図１４に示す走査線ドライバ２７は、シフトレジスタ２７１、ラッチ２７３、遅延器２８１、ＳＲフリップフロップ２８３及びバッファ回路２７５で構成される。
遅延器２８１は、それぞれ対応する走査線ＷＬの書き込み信号ｗｓを１クロック分（１水平走査期間分）遅延するゲート回路である。
【００４４】
ＳＲフリップフロップ２８３は、１つ前の走査線ＤＬに対応するラッチ２７３の出力をセット端に入力し、駆動対象とする走査線ＤＬに対応する遅延器２８１の出力をリセット端に入力するフリップフロップである。なお、ＳＲフリップフロップ２８３は、入力信号の立ち上がりエッジで動作する。
【００４５】
このとき、ＳＲフリップフロップ２８３は、駆動対象とする走査線ＤＬの書込タイミングよりも１水平走査期間前から本来の書き込み期間の満了時点まで、オン電圧を維持する２ライン書き込み信号ＷＳ（ｉ＋１）を出力する。
【００４６】
また、２ライン書き込み信号は、その他の回路構成を適用することによっても実現できる。例えば、遅延器２８１を用いない回路構成も可能である。この場合、次水平ラインの書き込みを制御する１ライン書き込み信号ｗｓをＳＲフリップフロップ２８３のリセット端に入力すれば良い。
【００４７】
（Ｂ−３）数ライン書き込み信号
前述した形態例においては、本来の書込タイミングよりも１水平ライン前から対応画素への書き込みを開始する場合について説明した。
しかし、２水平ライン以上前から対応画素への書き込みを開始しても良い。
【００４８】
（Ｂ−４）製品例
（ａ）ドライブＩＣ
有機ＥＬディスプレイ装置２１を構成する有機ＥＬパネル２３、データ線ドライバ２５及び走査線ドライバ２７は、いずれも１つのパネル上に形成することもできるが、ドライバと画素マトリクスとを別々に製造し、流通することもできる。
【００４９】
例えば、データ線ドライバ２５及び走査線ドライバ２７はそれぞれ独立したドライブＩＣ（integrated circuit）として製造し、有機ＥＬパネル２３とは独立に流通することもできる。
【００５０】
（ｂ）表示モジュール
前述した形態例における有機ＥＬディスプレイ装置２１は、中間生成品である表示モジュールの形態で流通することもできる。
【００５１】
図１５に、表示モジュール４１の外観例を示す。表示モジュール４１は、支持基板４５の表面に対向部４３を貼り合わせた構造を有している。対向部４３は、ガラスその他の透明部材を基材とし、その表面にはカラーフィルタ、保護膜、遮光膜等が配置される。
【００５２】
なお、表示モジュール４１には、外部から支持基板４５に信号等を入出力するためのＦＰＣ（フレキシブルプリントサーキット）４７等が設けられていても良い。
【００５３】
（ｃ）電子機器
前述した形態例における有機ＥＬディスプレイ装置２１は、電子機器に実装された商品形態でも流通される。
図１６に、電子機器５１の概念構成例を示す。電子機器５１は、前述した有機ＥＬディスプレイ装置２１及びシステム制御部５３で構成される。システム制御部５３で実行される処理内容は、電子機器５１の商品形態により異なる。
【００５４】
なお、電子機器５１は、機器内で生成される又は外部から入力される画像や映像を表示する機能を搭載していれば、特定の分野の機器には限定されない。
この種の電子機器５１には、例えばテレビジョン受像機が想定される。図１７に、テレビジョン受像機６１の外観例を示す。
【００５５】
テレビジョン受像機６１の筐体正面には、フロントパネル６３及びフィルターガラス６５等で構成される表示画面６７が配置される。表示画面６７の部分が、形態例で説明した有機ＥＬディスプレイ装置２１に対応する。
【００５６】
また、この種の電子機器５１には、例えばデジタルカメラが想定される。図１８に、デジタルカメラ７１の外観例を示す。図１８（Ａ）が正面側（被写体側）の外観例であり、図１８（Ｂ）が背面側（撮影者側）の外観例である。
【００５７】
デジタルカメラ７１は、撮像レンズ（図１８は保護カバー７３が閉じた状態であるので、保護カバー７３の裏面側に配置される。）、フラッシュ用発光部７５、表示画面７７、コントロールスイッチ７９及びシャッターボタン８１で構成される。このうち、表示画面７７の部分が、形態例で説明した有機ＥＬディスプレイ装置２１に対応する。
【００５８】
また、この種の電子機器５１には、例えばビデオカメラが想定される。図１９に、ビデオカメラ９１の外観例を示す。
ビデオカメラ９１は、本体９３の前方に被写体を撮像する撮像レンズ９５、撮影のスタート／ストップスイッチ９７及び表示画面９９で構成される。このうち、表示画面９９の部分が、形態例で説明した有機ＥＬディスプレイ装置２１に対応する。
【００５９】
また、この種の電子機器５１には、例えば携帯端末装置が想定される。図２０に、携帯端末装置としての携帯電話機１０１の外観例を示す。図２０に示す携帯電話機１０１は折りたたみ式であり、図２０（Ａ）が筐体を開いた状態の外観例であり、図２０（Ｂ）が筐体を折りたたんだ状態の外観例である。
【００６０】
携帯電話機１０１は、上側筐体１０３、下側筐体１０５、連結部（この例ではヒンジ部）１０７、表示画面１０９、補助表示画面１１１、ピクチャーライト１１３及び撮像レンズ１１５で構成される。このうち、表示画面１０９及び補助表示画面１１１の部分が、形態例で説明した有機ＥＬディスプレイ装置２１に対応する。
【００６１】
また、この種の電子機器５１には、例えばコンピュータが想定される。図２１に、ノート型コンピュータ１２１の外観例を示す。
ノート型コンピュータ１２１は、下型筐体１２３、上側筐体１２５、キーボード１２７及び表示画面１２９で構成される。このうち、表示画面１２９の部分が、形態例で説明した有機ＥＬディスプレイ装置２１に対応する。
【００６２】
これらの他、電子機器５１には、オーディオ再生装置、ゲーム機、電子ブック、電子辞書等が想定される。
【００６３】
（Ｂ−５）他の表示デバイス例
形態例の説明においては、表示デバイスが有機ＥＬディスプレイ装置２１である場合について説明した。
しかし、形態例で説明した走査線ドライバ２７は、その他の自発光表示装置にも適用することができる。例えば無機ＥＬディスプレイ装置、ＬＥＤを配列する表示装置、ＦＥＤディスプレイ装置やＰＤＰディスプレイ装置等にも適用できる。
【００６４】
（Ｂ−６）制御デバイス構成
前述の説明では、走査線ドライバ２７の駆動タイミングをハードウェア的に制御する場合について説明した。
しかし、その生成処理や出力タイミングは、ソフトウェア処理を通じて制御しても良い。
【００６５】
（Ｂ−７）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００６６】
【図１】従来の駆動例を示す図である。
【図２】表示デバイスの従来例を示す図である。
【図３】表示デバイスの構造例を示す図である。
【図４】画素の構造例を示す図である。
【図５】走査線ドライバの構造例を示す図である。
【図６】走査線ドライバの駆動例を示す図である。
【図７】表示デバイスの駆動例を示す図である。
【図８】駆動信号に対応する画素位置を説明する図である。
【図９】書き込み時におけるキャパシタ電圧の変化を説明する図である。
【図１０】画面の切り替わり例を示す図である。
【図１１】従来例のキャパシタ電圧の変化と形態例のキャパシタ電圧の変化を示す図である。
【図１２】形態例による書き込み特性を説明する図である。
【図１３】画素の他の構造例を示す図である。
【図１４】走査線ドライバの他の構成例を示す図である。
【図１５】表示モジュールの構成例を示す図である。
【図１６】電子機器の機能構成例を示す図である。
【図１７】電子機器の商品例を示す図である。
【図１８】電子機器の商品例を示す図である。
【図１９】電子機器の商品例を示す図である。
【図２０】電子機器の商品例を示す図である。
【図２１】電子機器の商品例を示す図である。
【符号の説明】
【００６７】
２１        有機ＥＬディスプレイ装置
２３        有機ＥＬパネル
２５        データ線ドライバ
２７        走査線ドライバ
２９        タイミングジェネレータ
５１        電子機器
５３        システム制御部
【図１】
2008152180.tif 000003
【図２】
2008152180.tif 000004
【図３】
2008152180.tif 000005
【図４】
2008152180.tif 000006
【図５】
2008152180.tif 000007
【図６】
2008152180.tif 000008
【図７】
2008152180.tif 000009
【図８】
2008152180.tif 000010
【図９】
2008152180.tif 000011
【図１０】
2008152180.tif 000012
【図１１】
2008152180.tif 000013
【図１２】
2008152180.tif 000014
【図１３】
2008152180.tif 000015
【図１４】
2008152180.tif 000016
【図１５】
2008152180.tif 000017
【図１６】
2008152180.tif 000018
【図１７】
2008152180.tif 000019
【図１８】
2008152180.tif 000020
【図１９】
2008152180.tif 000021
【図２０】
2008152180.tif 000022
【図２１】
2008152180.tif 000023